(57)【要約】      （修正有）【課題】マルチユーザ多入力多出力（ＭＵ−ＭＩＭＯ）送信についての、複数の宛先からの確認応答メッセージを管理するための装置および方法を提供する。【解決手段】アップリンク送信のために選択された各ユーザ端末において、ＴＸデータプロセッサは、データソースからトラフィックデータを受信し、コントローラから制御データを受信する。ＴＸデータプロセッサは、ユーザ端末のための選択されたレートに関連する変調符号化方式に基づいて、ユーザ端末のためのトラフィックデータを処理し、データシンボルストリームを与える。ＴＸ空間プロセッサは、データシンボルストリームに対して空間処理を実施し、複数のアンテナに同数の送信シンボルストリームを与える。各送信機ユニット（ＴＭＴＲ）は、アップリンク信号を発生するために、それぞれの送信シンボルストリームを受信し処理する。【選択図】図２
2019062541.tif 000002
【特許請求の範囲】
【請求項１】
ワイヤレス通信のための装置であって、
複数のデータユニット（ＤＵ）を生成するように構成された第１の回路と、
複数の装置への前記ＤＵを備えるマルチユーザ多入力多出力（ＭＵ−ＭＩＭＯ）送信を送信するように構成された送信機とを備え、なお、前記ＤＵについての確認応答ポリシーは、前記装置のうち第１の装置だけに、確認応答メッセージで応答させるように設定される装置。
【請求項２】
前記確認応答メッセージが、即時ブロック確認応答（ＢＡ）メッセージまたは正常ＡＣＫメッセージの少なくとも１つを備える、請求項１に記載の装置。
【請求項３】
前記第１の装置以外の前記装置に関連付けられたＤＵについての前記確認応答ポリシーが、要求時にＡＣＫなしまたはＡＣＫに設定される、請求項１に記載の装置。
【請求項４】
前記第１の回路が、一次アクセスカテゴリまたは二次アクセスカテゴリのうち少なくとも１つのカテゴリの前記複数のＤＵを生成するようにも構成される、請求項１に記載の装置。
【請求項５】
前記一次アクセスカテゴリの前記複数のＤＵのうちあるＤＵについての確認応答ポリシーが、正常ＡＣＫについて設定され、
前記確認応答メッセージが前記正常ＡＣＫを備える、請求項４に記載の装置。
【請求項６】
前記第１の装置に関連付けられた前記ＤＵの第１のものについての確認応答ポリシービットが、暗黙ブロック確認応答要求（ＢＡＲ）を示す値にセットされる、請求項１に記載の装置。
【請求項７】
前記第１の装置以外の前記装置向けの前記ＤＵについての確認応答ポリシービットが、ブロック確認応答要求（ＢＡＲ）待機ポリシーを示す値にセットされる、請求項１に記載の装置。
【請求項８】
前記第１の装置以外の前記装置向けの前記ＤＵについての確認応答ポリシービットが、Ｎｏ−ＡＣＫポリシーを示す値にセットされる、請求項１に記載の装置。
【請求項９】
前記ＭＵ−ＭＩＭＯ送信に応答して、前記第１の装置から確認応答が受信されない場合、衝突を検出するように構成された第２の回路をさらに備える、請求項１に記載の装置。
【請求項１０】
前記装置の少なくとも１つに、グループ中での位置を割り当てるように構成された第２の回路をさらに備え、
どの装置が前記第１の装置であるかが、その装置の、前記グループ中での前記位置に基づいて判断される、請求項１に記載の装置。
【請求項１１】
前記送信機が、
前記グループ中での別の位置を割り当てられていない少なくとも１つの装置に、ブロック確認応答要求（ＢＡＲ）メッセージを送信するようにも構成される、請求項１０に記載の装置。
【請求項１２】
前記送信機が、
前記ＭＵ−ＭＩＭＯ送信に続いて、前記第１の装置以外の前記装置の１つまたは複数にブロック確認応答要求（ＢＡＲ）メッセージを送信するようにも構成される、請求項１に記載の装置。
【請求項１３】
前記ＢＡＲメッセージが、ＩＥＥＥ８０２．１１規格ファミリーの１つまたは複数に従って送信される、請求項１２に記載の装置。
【請求項１４】
前記ＤＵの送信後の期間中に前記装置においてＰＨＹ−ＲＸＳＴＡＲＴ指示が検出されない場合、前記装置の１つからの確認応答が欠落していることを検出するように構成された第２の回路をさらに備える、請求項１に記載の装置。
【請求項１５】
前記複数のＤＵが、複数の媒体アクセス制御プロトコルデータユニット（ＭＰＤＵ）を備える、請求項１に記載の装置。
【請求項１６】
ワイヤレス通信のための方法であって、
複数のデータユニット（ＤＵ）を生成すること、および
複数の装置への前記ＤＵを備えるマルチユーザ多入力多出力（ＭＵ−ＭＩＭＯ）送信を送信することを含み、なお、前記ＤＵについての確認応答ポリシーは、前記装置のうち第１の装置だけに、確認応答メッセージで応答させるように設定される方法。
【請求項１７】
前記確認応答メッセージが、即時ブロック確認応答（ＢＡ）メッセージまたは正常ＡＣＫメッセージの少なくとも１つを備える、請求項１６に記載の方法。
【請求項１８】
前記第１の装置以外の前記装置に関連付けられたＤＵについての前記確認応答ポリシーが、要求時にＡＣＫなしまたはＡＣＫに設定される、請求項１６に記載の方法。
【請求項１９】
一次アクセスカテゴリまたは二次アクセスカテゴリのうち少なくとも１つのカテゴリの前記複数のＤＵを生成することをさらに備える、請求項１６に記載の方法。
【請求項２０】
前記一次アクセスカテゴリの前記複数のＤＵのうちあるＤＵについての確認応答ポリシーが、正常ＡＣＫについて設定され、
前記確認応答メッセージが前記正常ＡＣＫを備える、請求項１９に記載の方法。
【請求項２１】
前記第１の装置に関連付けられた前記ＤＵの第１のものについての確認応答ポリシービットが、暗黙ブロック確認応答要求（ＢＡＲ）を示す値にセットされる、請求項１６に記載の方法。
【請求項２２】
前記第１の装置以外の前記装置向けの前記ＤＵについての確認応答ポリシービットが、ブロック確認応答要求（ＢＡＲ）待機ポリシーを示す値にセットされる、請求項１６に記載の方法。
【請求項２３】
前記第１の装置以外の前記装置向けの前記ＤＵについての確認応答ポリシービットが、Ｎｏ−ＡＣＫポリシーを示す値にセットされる、請求項１６に記載の方法。
【請求項２４】
前記ＭＵ−ＭＩＭＯ送信に応答して、前記第１の装置から確認応答が受信されない場合、衝突を検出することをさらに備える、請求項１６に記載の方法。
【請求項２５】
前記装置の少なくとも１つに、グループ中での位置を割り当てることをさらに備え、  どの装置が前記第１の装置であるかが、その装置の、前記グループ中での前記位置に基づいて判断される、請求項１６に記載の方法。
【請求項２６】
前記グループ中での別の位置を割り当てられていない少なくとも１つの装置に、ブロック確認応答要求（ＢＡＲ）メッセージを送信することをさらに備える、請求項２５に記載の方法。
【請求項２７】
前記ＭＵ−ＭＩＭＯ送信に続いて、前記第１の装置以外の前記装置の１つまたは複数にブロック確認応答要求（ＢＡＲ）メッセージを送信することをさらに備える、請求項１６に記載の方法。
【請求項２８】
前記ＢＡＲメッセージが、ＩＥＥＥ８０２．１１規格ファミリーの１つまたは複数に従って送信される、請求項２７に記載の方法。
【請求項２９】
前記ＤＵの送信後の期間中に前記装置においてＰＨＹ−ＲＸＳＴＡＲＴ指示が検出されない場合、前記装置の１つからの確認応答が欠落していることを検出することをさらに備える、請求項１６に記載の方法。
【請求項３０】
前記複数のＤＵが、複数の媒体アクセス制御プロトコルデータユニット（ＭＰＤＵ）を備える、請求項１６に記載の方法。
【請求項３１】
ワイヤレス通信のための装置であって、
複数のデータユニット（ＤＵ）を生成する手段と、
複数の装置への前記ＤＵを備えるマルチユーザ多入力多出力（ＭＵ−ＭＩＭＯ）送信を送信する手段とを備え、なお、前記ＤＵについての確認応答ポリシーは、前記装置のうち第１の装置だけに、確認応答メッセージで応答させるように設定される装置。
【請求項３２】
前記確認応答メッセージが、即時ブロック確認応答（ＢＡ）メッセージまたは正常ＡＣＫメッセージの少なくとも１つを備える、請求項３１に記載の装置。
【請求項３３】
前記第１の装置以外の前記装置に関連付けられたＤＵについての前記確認応答ポリシーが、要求時にＡＣＫなしまたはＡＣＫに設定される、請求項３１に記載の装置。
【請求項３４】
一次アクセスカテゴリまたは二次アクセスカテゴリのうち少なくとも１つのカテゴリの前記複数のＤＵを生成する手段をさらに備える、請求項３１に記載の装置。
【請求項３５】
前記一次アクセスカテゴリの前記複数のＤＵのうちあるＤＵについての確認応答ポリシーが、正常ＡＣＫについて設定され、
前記確認応答メッセージが前記正常ＡＣＫを備える、請求項３４に記載の装置。
【請求項３６】
前記第１の装置に関連付けられた前記ＤＵの第１のものについての確認応答ポリシービットが、暗黙ブロック確認応答要求（ＢＡＲ）を示す値にセットされる、請求項３１に記載の装置。
【請求項３７】
前記第１の装置以外の前記装置向けの前記ＤＵについての確認応答ポリシービットが、ブロック確認応答要求（ＢＡＲ）待機ポリシーを示す値にセットされる、請求項３１に記載の装置。
【請求項３８】
前記第１の装置以外の前記装置向けの前記ＤＵについての確認応答ポリシービットが、Ｎｏ−ＡＣＫポリシーを示す値にセットされる、請求項３１に記載の装置。
【請求項３９】
前記ＭＵ−ＭＩＭＯ送信に応答して、前記第１の装置から確認応答が受信されない場合、衝突を検出する手段をさらに備える、請求項３１に記載の装置。
【請求項４０】
前記装置の少なくとも１つに、グループ中での位置を割り当てる手段をさらに備え、  どの装置が前記第１の装置であるかが、その装置の、前記グループ中での前記位置に基づいて判断される、請求項３１に記載の装置。
【請求項４１】
送信する前記手段が、
前記グループ中での別の位置を割り当てられていない少なくとも１つの装置に、ブロック確認応答要求（ＢＡＲ）メッセージを送信するようにさらに構成される、請求項４０に記載の装置。
【請求項４２】
送信する前記手段が、
前記ＭＵ−ＭＩＭＯ送信に続いて、前記第１の装置以外の前記装置の１つまたは複数にブロック確認応答要求（ＢＡＲ）メッセージを送信するようにさらに構成される、請求項３１に記載の装置。
【請求項４３】
前記ＢＡＲメッセージが、ＩＥＥＥ８０２．１１規格ファミリーの１つまたは複数に従って送信される、請求項４２に記載の装置。
【請求項４４】
前記ＤＵの送信後の期間中に前記装置においてＰＨＹ−ＲＸＳＴＡＲＴ指示が検出されない場合、前記装置の１つからの確認応答が欠落していることを検出する手段をさらに備える、請求項３１に記載の装置。
【請求項４５】
前記複数のＤＵが、複数の媒体アクセス制御プロトコルデータユニット（ＭＰＤＵ）を備える、請求項３１に記載の装置。
【請求項４６】
命令を備えるコンピュータ可読媒体を備える、ワイヤレス通信のためのコンピュータプログラム製品であって、前記命令が、
複数のデータユニット（ＤＵ）を生成し、
複数の装置への前記ＤＵを備えるマルチユーザ多入力多出力（ＭＵ−ＭＩＭＯ）送信を送信するように実行可能であり、前記ＤＵについての確認応答ポリシーが、前記装置のうち第１の装置だけに、確認応答メッセージで応答させるように設定されるコンピュータプログラム製品。
【請求項４７】
少なくとも１つのアンテナと、
複数のデータユニット（ＤＵ）を生成するように構成された第１の回路と、
前記少なくとも１つのアンテナを介して、複数の装置への前記ＤＵを備えるマルチユーザ多入力多出力（ＭＵ−ＭＩＭＯ）送信を送信するように構成された送信機とを備え、前記ＤＵについての確認応答ポリシーは、前記装置のうち第１の装置だけに、確認応答メッセージで応答させるように設定されるアクセスポイント。
【請求項４８】
ワイヤレス通信のための装置であって、
１つまたは複数の他のＤＵとともに送信されたデータユニット（ＤＵ）を受信するように構成された受信機と、なお前記ＤＵについての確認応答ポリシーは、前記ＤＵに関連付けられた複数の装置のうち第１の装置だけに、確認応答で応答させるように設定され、  前記装置に関連付けられた前記ＤＵについての前記確認応答ポリシーの１つに基づく、確認応答メッセージを送信するタイミングを判断するように構成された第１の回路とを備える装置。
【請求項４９】
前記第１の回路が、
前記装置が前記第１の装置であるという判断に応答して、前記確認応答を送信すると判断するようにも構成される、請求項４８に記載の装置。
【請求項５０】
前記第１の回路が、
ブロック確認応答要求（ＢＡＲ）メッセージのみに応答して、前記確認応答メッセージを送信すると判断するようにも構成される、請求項４８に記載の装置。
【請求項５１】
前記受信機が、グループ中での前記装置の位置の割当てを受信するようにも構成され、  前記第１の回路が、前記グループ中での前記割当て位置に基づく、前記確認応答メッセージを送信するタイミングを判断するようにも構成される、請求項４８に記載の装置。
【請求項５２】
前記第１の回路が、
前記グループ中での他の割当て位置を有する装置によって送信される確認応答メッセージに対して、前記確認応答メッセージを送信する順序を判断するようにも構成される、請求項５１に記載の装置。
【請求項５３】
前記第１の回路が、
前記ＤＵのレガシー信号（Ｌ−ＳＩＧ）フィールドが有効でない場合、前記確認応答メッセージを送信しないと決定するようにも構成される、請求項４８に記載の装置。
【請求項５４】
前記第１の回路が、
前記ＤＵを送信する別の装置からの、特定の数のフレームの送信の終結に続く期間中に前記装置においてＰＨＹ−ＲＸＳＴＡＲＴ指示が検出されない場合、前記確認応答メッセージを送信しないと決定するようにも構成される、請求項４８に記載の装置。
【請求項５５】
前記第１の回路が、
前記装置のうち１つまたは複数に関連付けられた１つまたは複数の他の確認応答メッセージが、前記１つまたは複数の他のＤＵが送信された際に経由した媒体上で検出されない場合、前記確認応答メッセージを送信しないと決定するようにも構成される、請求項４８に記載の装置。
【請求項５６】
前記第１の回路が、
前記１つまたは複数の他のＤＵとともに送信された前記ＤＵが媒体上で検出されていないが、前記１つまたは複数の他のＤＵに対応する１つまたは複数の確認応答メッセージが前記媒体上で検出される場合、前記確認応答メッセージを送信するのを控えるようにも構成される、請求項４８に記載の装置。
【請求項５７】
前記第１の回路が、
前記確認応答メッセージを送信する前に、ブロック確認応答要求（ＢＡＲ）を待つと決定するようにも構成される、請求項４８に記載の装置。
【請求項５８】
前記ＤＵが媒体アクセス制御プロトコルデータユニット（ＭＰＤＵ）を備え、
前記１つまたは複数の他のＤＵが１つまたは複数の他のＭＰＤＵを備える、請求項４８に記載の装置。
【請求項５９】
ワイヤレス通信の方法であって、
装置において、１つまたは複数の他のＤＵとともに送信されたデータユニット（ＤＵ）を受信することと、なお、前記ＤＵについての確認応答ポリシーは、前記ＤＵに関連付けられた複数の装置のうち第１の装置だけに、確認応答で応答させるように設定され、および
前記装置に関連付けられた前記ＤＵについての前記確認応答ポリシーの１つに基づく、確認応答メッセージを送信するタイミングを判断することを備える方法。
【請求項６０】
前記装置が前記第１の装置であるという判断に応答して、前記確認応答を送信すると判断することをさらに備える、請求項５９に記載の方法。
【請求項６１】
ブロック確認応答要求（ＢＡＲ）メッセージのみに応答して、前記確認応答メッセージを送信すると判断することをさらに備える、請求項５９に記載の方法。
【請求項６２】
グループ中での前記装置の位置の割当てを受信することをさらに備え、タイミングを判断することが、
前記グループ中での前記割当て位置に基づく、前記確認応答メッセージを送信するタイミングを判断することを備える、請求項５９に記載の方法。
【請求項６３】
タイミングを判断することが、
前記確認応答メッセージを送信する順序を、前記グループ中での他の割当て位置を有する装置によって送信される確認応答メッセージと比較して判断することを備える、請求項６２に記載の方法。
【請求項６４】
前記ＤＵのレガシー信号（Ｌ−ＳＩＧ）フィールドが有効でない場合、前記確認応答メッセージを送信しないと決定することをさらに備える、請求項５９に記載の方法。
【請求項６５】
前記ＤＵを送信する別の装置からの特定の数のフレームの送信の終結に続く期間中に、前記装置においてＰＨＹ−ＲＸＳＴＡＲＴ指示が検出されない場合、前記確認応答メッセージを送信しないと決定することをさらに備える、請求項５９に記載の方法。
【請求項６６】
前記装置のうち１つまたは複数に関連付けられた１つまたは複数の他の確認応答メッセージが、前記１つまたは複数の他のＤＵが送信された際に経由した媒体上で検出されない場合、前記確認応答メッセージを送信しないと決定することをさらに備える、請求項５９に記載の方法。
【請求項６７】
前記１つまたは複数の他のＤＵとともに送信された前記ＤＵが媒体上で検出されていないが、前記１つまたは複数の他のＤＵに対応する１つまたは複数の確認応答メッセージが前記媒体上で検出される場合、前記確認応答メッセージを送信するのを控えることをさらに備える、請求項５９に記載の方法。
【請求項６８】
タイミングを判断することが、
前記確認応答メッセージを送信する前に、ブロック確認応答要求（ＢＡＲ）を待つと決定することを備える、請求項５９に記載の方法。
【請求項６９】
前記ＤＵが媒体アクセス制御プロトコルデータユニット（ＭＰＤＵ）を備え、
前記１つまたは複数の他のＤＵが１つまたは複数の他のＭＰＤＵを備える、請求項５９に記載の方法。
【請求項７０】
ワイヤレス通信のための装置であって、
１つまたは複数の他のＤＵとともに送信されたデータユニット（ＤＵ）を受信する手段と、なお前記ＤＵについての確認応答ポリシーは、前記ＤＵに関連付けられた複数の装置のうち第１の装置だけに、確認応答で応答させるように設定され、
前記装置に関連付けられた前記ＤＵについての前記確認応答ポリシーの１つに基づく、確認応答メッセージを送信するタイミングを判断する手段とを備える装置。
【請求項７１】
前記装置が前記第１の装置であるという判断に応答して、前記確認応答を送信すると判断する手段をさらに備える、請求項７０に記載の装置。
【請求項７２】
ブロック確認応答要求（ＢＡＲ）メッセージのみに応答して、前記確認応答メッセージを送信すると判断する手段をさらに備える、請求項７０に記載の装置。
【請求項７３】
受信する前記手段が、グループ中での前記装置の位置の割当てを受信するようにさらに構成され、前記装置が、
前記グループ中での前記割当て位置に基づく、前記確認応答メッセージを送信するタイミングを判断する手段をさらに備える、請求項７０に記載の装置。
【請求項７４】
前記確認応答メッセージを送信する順序を、前記グループ中での他の割当て位置を有する装置によって送信される確認応答メッセージと比較して判断する手段をさらに備える、請求項７３に記載の装置。
【請求項７５】
前記ＤＵのレガシー信号（Ｌ−ＳＩＧ）フィールドが有効でない場合、前記確認応答メッセージを送信しないと決定する手段をさらに備える、請求項７０に記載の装置。
【請求項７６】
前記ＤＵを送信する別の装置からの特定の数のフレームの送信の終結に続く期間中に、前記装置においてＰＨＹ−ＲＸＳＴＡＲＴ指示が検出されない場合、前記確認応答メッセージを送信しないと決定する手段をさらに備える、請求項７０に記載の装置。
【請求項７７】
前記装置のうち１つまたは複数に関連付けられた１つまたは複数の他の確認応答メッセージが、前記１つまたは複数の他のＤＵが送信された際に経由した媒体上で検出されない場合、前記確認応答メッセージを送信しないと決定する手段をさらに備える、請求項７０に記載の装置。
【請求項７８】
前記１つまたは複数の他のＤＵとともに送信された前記ＤＵが媒体上で検出されていないが、前記１つまたは複数の他のＤＵに対応する１つまたは複数の確認応答メッセージが前記媒体上で検出される場合、前記確認応答メッセージを送信するのを控える手段をさらに備える、請求項７０に記載の装置。
【請求項７９】
前記確認応答メッセージを送信する前に、ブロック確認応答要求（ＢＡＲ）を待つと決定する手段をさらに備える、請求項７０に記載の装置。
【請求項８０】
前記ＤＵが媒体アクセス制御プロトコルデータユニット（ＭＰＤＵ）を備え、
前記１つまたは複数の他のＤＵが１つまたは複数の他のＭＰＤＵを備える、請求項７０に記載の装置。
【請求項８１】
命令を備えるコンピュータ可読媒体を備える、ワイヤレス通信のためのコンピュータプログラム製品であって、前記命令が、
装置において、１つまたは複数の他のＤＵとともに送信されたデータユニット（ＤＵ）を受信し、前記ＤＵについての確認応答ポリシーが、前記ＤＵに関連付けられた複数の装置のうち第１の装置だけに、確認応答で応答させるように設定されるように実行可能であり、
前記装置に関連付けられた前記ＤＵについての前記確認応答ポリシーの１つに基づく、確認応答メッセージを送信するタイミングを判断するように実行可能であるコンピュータプログラム製品。
【請求項８２】
少なくとも１つのアンテナと、
前記少なくとも１つのアンテナを介して、１つまたは複数の他のＤＵとともに送信されたデータユニット（ＤＵ）を受信するように構成された受信機であって、なお前記ＤＵについての確認応答ポリシーは、前記ＤＵに関連付けられた複数のアクセス端末のうち第１のアクセス端末だけに、確認応答で応答させるように設定され、
前記アクセス端末に関連付けられた前記ＤＵについての前記確認応答ポリシーの１つに基づく、確認応答メッセージを送信するタイミングを判断するように構成された第１の回路とを備えるアクセス端末。
【発明の詳細な説明】
【技術分野】
【０００１】
［米国特許法第１１９条に基づく優先権の主張］
本特許出願は、本出願の譲受人に譲渡され、参照により本明細書に明確に組み込まれる、２０１０年８月２５日に出願された「Ｍａｎａｇｉｎｇ  ａｃｋｎｏｗｌｅｄｇｅｍｅｎｔ  ｍｅｓｓａｇｅｓ  ｆｒｏｍ  ｍｕｌｔｉｐｌｅ  ｄｅｓｔｉｎａｔｉｏｎｓ  ｆｏｒ  ＭＵ−ＭＩＭＯ」と題する米国仮特許出願第６１／３７６，９６２号の優先権を主張する。
【０００２】
［分野］
本開示のいくつかの態様は概して、マルチユーザ多入力多出力（ＭＵ−ＭＩＭＯ;Multi-user multiple-input multi-output）送信のための、複数の宛先からの確認応答メッセージを管理するための装置および方法に関する。
【背景技術】
【０００３】
［背景］
ワイヤレス通信システムに要求される帯域幅要件の増加の問題に対処するために、高いデータスループットを達成しながら、複数のユーザ端末がチャネルリソースを共有することによって単一のアクセスポイントと通信することを可能にするために、様々な方式が開発されている。多入力多出力（ＭＩＭＯ）技術は、次世代通信システム用の好評な技法として最近登場した１つのそのような手法である。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【０００４】
ＩＥＥＥ８０２．１１ＷＬＡＮ規格団体は、５ＧＨｚのキャリア周波数（すなわち、ＩＥＥＥ８０２．１１ａｃ仕様）を使用する、または毎秒１ギガビットよりも大きい合計スループットを目標とする６０ＧＨｚのキャリア周波数（すなわち、ＩＥＥＥ８０２．１１ａｄ仕様）を使用する、超高スループット（ＶＨＴ）手法に基づく送信のための仕様を確立した。ＶＨＴ  ５ＧＨｚ仕様を可能にするための技術のうちの１つは、２つの４０ＭＨｚチャネルを結合して８０ＭＨｚ帯域幅にし、したがってＩＥＥＥ８０２．１１ｎ規格と比較してごくわずかなコストの増加で物理レイヤ（ＰＨＹ）データレートを２倍にする、より広いチャネル帯域幅である。
【０００５】
ＭＩＭＯシステムは、データ伝送に複数の（ＮT）送信アンテナと複数の（ＮR）受信アンテナとを採用する。ＮT個の送信アンテナおよびＮR個の受信アンテナによって形成されたＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００６】
単一アクセスポイント（ＡＰ）および複数のユーザ局（ＳＴＡ）を有するワイヤレスネットワークでは、アップリンクとダウンリンク方向の両方で、異なる局に向かって複数のチャネル上で同時送信が起こり得る。そのようなシステムには多くの課題が存在する。
【発明の概要】
【０００７】
本開示のいくつかの態様は、ワイヤレス通信のための装置を提供する。この装置は概して、複数のデータユニット（ＤＵ;Data Unit）を生成するように構成された第１の回路と、複数の装置へのＤＵを備えるマルチユーザ多入力多出力（ＭＵ−ＭＩＭＯ）送信を送信するように構成された送信機とを含み、ＤＵについての確認応答ポリシー(acknowledgement policy)は、装置のうち第１の装置だけに、確認応答メッセージで応答させるように設定される。
【０００８】
本開示のいくつかの態様は、ワイヤレス通信のための方法を提供する。この方法は概して、複数のデータユニット（ＤＵ）を生成すること、および複数の装置へのＤＵを備えるマルチユーザ多入力多出力（ＭＵ−ＭＩＭＯ）送信を送信することを含み、ＤＵについての確認応答ポリシーは、装置のうち第１の装置だけに、確認応答メッセージで応答させるように設定される。
【０００９】
本開示のいくつかの態様は、ワイヤレス通信のための装置を提供する。この装置は概して、複数のデータユニット（ＤＵ）を生成するための手段と、複数の装置へのＤＵを備えるマルチユーザ多入力多出力（ＭＵ−ＭＩＭＯ）送信を送信するための手段とを含み、ＤＵについての確認応答ポリシーは、装置のうち第１の装置だけに、確認応答メッセージで応答させるように設定される。
【００１０】
本開示のいくつかの態様は、ワイヤレス通信のためのコンピュータプログラム製品を提供する。このコンピュータプログラム製品は概して、複数のデータユニット（ＤＵ）を生成し、複数の装置へのＤＵを備えるマルチユーザ多入力多出力（ＭＵ−ＭＩＭＯ）送信を送信するように実行可能な命令を備えるコンピュータ可読媒体を含み、ＤＵについての確認応答ポリシーは、装置のうち第１の装置だけに、確認応答メッセージで応答させるように設定される。
【００１１】
本開示のいくつかの態様は、アクセスポイントを提供する。このアクセスポイントは概して、少なくとも１つのアンテナと、複数のデータユニット（ＤＵ）を生成するように構成された第１の回路と、少なくとも１つのアンテナを介して、複数の装置へのＤＵを備えるマルチユーザ多入力多出力（ＭＵ−ＭＩＭＯ）送信を送信するように構成された送信機とを含み、ＤＵについての確認応答ポリシーは、装置のうち第１の装置だけに、確認応答メッセージで応答させるように設定される。
【００１２】
本開示のいくつかの態様は、ワイヤレス通信のための装置を提供する。この装置は概して、１つまたは複数の他のＤＵとともに送信されたデータユニット（ＤＵ）を受信するように構成された受信機であって、ＤＵについての確認応答ポリシーが、ＤＵに関連付けられた複数の装置のうち第１の装置だけに、確認応答で応答させるように設定された受信機と、装置に関連付けられたＤＵについての確認応答ポリシーの１つに基づく、確認応答メッセージを送信するタイミングを判断するように構成された第１の回路とを含む。
【００１３】
本開示のいくつかの態様は、ワイヤレス通信のための方法を提供する。この方法は概して、装置において、１つまたは複数の他のＤＵとともに送信されたデータユニット（ＤＵ）を受信することであって、ＤＵについての確認応答ポリシーが、ＤＵに関連付けられた複数の装置のうち第１の装置だけに、確認応答で応答させるように設定されること、および装置に関連付けられたＤＵについての確認応答ポリシーの１つに基づく、確認応答メッセージを送信するタイミングを判断することを含む。
【００１４】
本開示のいくつかの態様は、ワイヤレス通信のための装置を提供する。この装置は概して、１つまたは複数の他のＤＵとともに送信されたデータユニット（ＤＵ）を受信するための手段であって、ＤＵについての確認応答ポリシーが、ＤＵに関連付けられた複数の装置のうち第１の装置だけに、確認応答で応答させるように設定される手段と、装置に関連付けられたＤＵについての確認応答ポリシーの１つに基づく、確認応答メッセージを送信するタイミングを判断するための手段とを含む。
【００１５】
本開示のいくつかの態様は、ワイヤレス通信のためのコンピュータプログラム製品を提供する。このコンピュータプログラム製品は概して、装置において、１つまたは複数の他のＤＵとともに送信されたデータユニット（ＤＵ）を受信し、ＤＵについての確認応答ポリシーが、ＤＵに関連付けられた複数の装置のうち第１の装置だけに、確認応答で応答させるように設定されるように実行可能であり、装置に関連付けられたＤＵについての確認応答ポリシーの１つに基づく、確認応答メッセージを送信するタイミングを判断するように実行可能な命令を備えるコンピュータ可読媒体を含む。
【００１６】
本開示のいくつかの態様は、アクセス端末を提供する。このアクセス端末は概して、少なくとも１つのアンテナと、少なくとも１つのアンテナを介して、１つまたは複数の他のＤＵとともに送信されたデータユニット（ＤＵ）を受信するように構成された受信機であって、ＤＵについての確認応答ポリシーが、ＤＵに関連付けられた複数のアクセス端末のうち第１のアクセス端末だけに、確認応答で応答させるように設定された受信機と、アクセス端末に関連付けられたＤＵについての確認応答ポリシーの１つに基づく、確認応答メッセージを送信するタイミングを判断するように構成された第１の回路とを含む。
【００１７】
本開示の上述の特徴を詳細に理解することができるように、添付の図面にその一部を示す態様を参照することによって、上記で簡単に要約した内容のより具体的な説明が得られる。しかし、添付の図面は、本開示の特定の典型的な態様のみを示し、したがって、本開示の範囲の限定と見なされてはならず、その理由は、この説明がその他の同等の効果のある態様をもたらし得るからであることに留意されたい。
【図面の簡単な説明】
【００１８】
【図１】本開示のいくつかの態様によるワイヤレス通信ネットワークの図。
【図２】本開示のいくつかの態様による例示的アクセスポイントおよびユーザ端末のブロック図。
【図３】本開示のいくつかの態様による例示的ワイヤレスデバイスのブロック図。
【図４】本開示のいくつかの態様による、例示的なマルチユーザ多入力多出力（ＭＵ−ＭＩＭＯ）交換を示す図。
【図５】本開示のいくつかの態様による、別の例示的なＭＵ−ＭＩＭＯ交換を示す図。
【図６】本開示のいくつかの態様による、アクセスポイントにおいて実行され得る例示的な動作を示す図。
【図６Ａ】図６に示す動作を実行することが可能な例示的手段を示す図。
【図７】本開示のいくつかの態様による、アクセス端末において実行され得る例示的な動作を示す図。
【図７Ａ】図７に示す動作を実行することが可能な例示的手段を示す図。
【発明を実施するための形態】
【００１９】
［詳細な説明］
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実現し、または方法を実施することができる。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施できることを理解されたい。
【００２０】
「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２１】
本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００２２】
［例示的なワイヤレス通信システム］
本明細書に記載の技法は、直交多重化方式に基づく通信システムを含む様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、十分に異なる方向を使用して、複数のユーザ端末に属すデータを同時に送信することができる。ＴＤＭＡシステムは、複数のユーザ端末が、送信信号を異なるタイムスロットに分割することによって、同じ周波数チャネルを共有することを可能にすることができ、各タイムスロットは、異なるユーザ端末に割り当てられる。ＴＤＭＡシステムは、ＧＳＭ（登録商標）または当技術分野で知られている何らかの他の規格を実装することができる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＯＦＤＭシステムは、ＩＥＥＥ８０２．１１または当技術分野で知られている何らかの他の規格を実装することができる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送信される。ＳＣ−ＦＤＭＡシステムは、３ＧＰＰ（登録商標）−ＬＴＥ（登録商標）（第３世代パートナーシッププロジェクトロングタームエボリューション（Ｌｏｎｇ  Ｔｅｒｍ  Ｅｖｏｌｕｔｉｏｎ））または当技術分野で知られているいくつかの他の規格を実装することができる。
【００２３】
本明細書の教示は、様々なワイヤードまたはワイヤレス装置（たとえば、ノード）に組み込まれ得る（たとえば、その装置内に実装され、またはその装置によって実行され得る）。いくつかの態様では、ノードはワイヤレスノードを備える。たとえば、そのようなワイヤレスノードは、ワイヤードまたはワイヤレス通信リンクを介したネットワーク（たとえば、インターネットまたはセルラーネットワークなど、ワイドエリアネットワーク）のための、またはネットワークへの接続性を与え得る。いくつかの態様では、本明細書の教示に従って実装されるワイヤレスノードはアクセスポイントまたはアクセス端末を備え得る。
【００２４】
アクセスポイント（「ＡＰ」）は、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。いくつかの実装形態では、アクセスポイントは、セットトップボックスキオスク、メディアセンター、またはワイヤレスもしくはワイヤード媒体を介して通信するように構成された他のどの好適なデバイスも備え得る。本開示のいくつかの態様によると、アクセスポイントは、ワイヤレス通信規格の米国電気電子技術者協会（ＩＥＥＥ）８０２．１１ファミリーに従って動作し得る。
【００２５】
アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、タブレット、娯楽デバイス（たとえば、音楽もしくはビデオデバイス、または衛星ラジオ）、テレビジョンディスプレイ、セキュリティビデオカメラ、フリップカム、デジタルビデオレコーダ（ＤＶＲ）、全地球測位システムデバイス、またはワイヤレスもしくはワイヤード媒体を介して通信するように構成された任意の他の好適なデバイスに組み込まれ得る。本開示のいくつかの態様によると、アクセス端末は、ワイヤレス通信規格のＩＥＥＥ８０２．１１ファミリーに従って動作し得る。
【００２６】
図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、一般に、ユーザ端末と通信する固定局であり、基地局または何らかの他の用語で呼ばれることもある。ユーザ端末は、固定でも移動でもよく、移動局、ワイヤレスデバイスまたは何らかの他の用語で呼ばれることもある。アクセスポイント１１０は、ダウンリンクおよびアップリンク上で任意の所与の瞬間において１つまたは複数のユーザ端末１２０と通信することができる。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信することができる。システムコントローラ１３０は、アクセスポイントに結合し、アクセスポイントの調整および制御を行う。
【００２７】
以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含むことができる。したがって、そのような態様では、ＡＰ１１０は、ＳＤＭＡユーザ端末と非ＳＤＭＡユーザ端末の両方と通信するように構成できる。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長することができる。
【００２８】
システム１００は、ダウンリンクおよびアップリンク上でのデータ伝送のために複数の送信アンテナおよび複数の受信アンテナを採用する。アクセスポイント１１０は、Ｎap個のアンテナを備え、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡでは、Ｋ個のユーザ端末向けのデータシンボルストリームが、何らかの手段によって符号、周波数または時間多重化されない場合、Ｎap≧Ｋ≧１をもつことが所望される。データシンボルストリームが、ＴＤＭＡ技法、ＣＤＭＡを用いた異なる符号チャネル、ＯＦＤＭを用いたサブバンドの独立セットなどを使って多重化され得る場合、Ｋは、Ｎapよりも大きくてよい。各選択されたユーザ端末は、ユーザ固有のデータをアクセスポイントに送信し、および／またはアクセスポイントからユーザ固有のデータを受信する。一般に、各選択されたユーザ端末は、１つまたは複数のアンテナを備えることができる（すなわち、Ｎut≧１）。Ｋ個の選択されたユーザ端末は、同じまたは異なる数のアンテナを有することができる。
【００２９】
ＳＤＭＡシステム１００は時分割複信（ＴＤＤ）システムまたは周波数分割複信（ＦＤＤ）システムとすることができる。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用することができる。各ユーザ端末は、（たとえば、コストを抑えるために）単一のアンテナを備えることができ、または（たとえば、追加費用をサポートすることができる場合）複数のアンテナを備えることができる。ユーザ端末１２０が、送信／受信を異なるタイムスロットに分割することによって、同じ周波数チャネルを共有する場合、システム１００は、ＴＤＭＡシステムであってもよく、各タイムスロットは、異なるユーザ端末１２０に割り当てられる。
【００３０】
図１に示すワイヤレスシステム１００は、ＩＥＥＥ８０２．１１ａｃワイヤレス通信規格に従って動作し得る。ＩＥＥＥ８０２．１１ａｃは、ＩＥＥＥ８０２．１１ワイヤレスネットワークにおけるより高いスループットを可能にする新たなＩＥＥＥ８０２．１１改正を表す。より高いスループットは、一度に複数の局１２０への並列送信など、いくつかの処置により、またはより広いチャネル帯域幅（たとえば、８０ＭＨｚもしくは１６０ＭＨｚ）を使うことによって実現され得る。ＩＥＥＥ８０２．１１ａｃは、超高スループット（ＶＨＴ）ワイヤレス通信規格とも呼ばれる。
【００３１】
図２に、ＭＩＭＯシステム１００におけるアクセスポイント１１０と２つのユーザ端末１２０ｍおよび１２０ｘとのブロック図を示す。アクセスポイント１１０は、ＮT個のアンテナ２２４ａ〜２２４ｔを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時伝送のために選択され、Ｎdn個のユーザ端末がダウンリンク上での同時伝送のために選択され、Ｎupは、Ｎdnに等しいことも等しくないこともあり、ＮupおよびＮdnは、静的な値であるかまたはスケジュール間隔ごとに変化することができる。アクセスポイントおよびユーザ端末においてビームステアリングまたは何らかの他の空間処理技法が使用できる。
【００３２】
アップリンク上では、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のための選択されたレートに関連する変調符号化方式に基づいて、ユーザ端末のためのトラフィックデータを処理（たとえば、エンコード、インターリーブ、および変調）し、データシンボルストリームを与える。ＴＸ空間プロセッサ２９０は、データシンボルストリームに対して空間処理を実施し、Ｎut,m個のアンテナにＮut,m個の送信シンボルストリームを与える。各送信機ユニット（ＴＭＴＲ）２５４は、アップリンク信号を発生するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信用に、Ｎut,m個のアップリンク信号を与える。
【００３３】
アップリンク上での同時伝送のためにＮup個のユーザ端末がスケジュールできる。これらのユーザ端末の各々は、そのデータシンボルストリームに対して空間処理を実行し、アップリンク上で送信シンボルストリームのそのセットをアクセスポイントに送信する。
【００３４】
アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に供給する。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉除去（ＳＩＣ）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に供給でき、および／またはさらなる処理のためにコントローラ２３０に供給できる。
【００３５】
ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータは様々なトランスポートチャネル上で送信できる。ＴＸデータプロセッサ２１０は、そのユーザ端末のために選択されたレートに基づいて各ユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に供給する。ＴＸ空間プロセッサ２２０は、Ｎdn個のダウンリンクデータシンボルストリームに対して空間処理（本開示に記載するプリコーディングまたはビームフォーミングなど）を実施し、Ｎap個のアンテナにＮap個の送信シンボルストリームを与える。各送信機ユニット２２２は、ダウンリンク信号を発生するために、それぞれの送信シンボルストリームを受信し、処理する。Ｎap個のアンテナ２２４からユーザ端末への送信用に、Ｎap個のダウンリンク信号を与えるＮap個の送信機ユニット２２２。
【００３６】
各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを得るために、復元されたダウンリンクデータシンボルストリームを処理（たとえば、復調、デインターリーブおよび復号）する。
【００３７】
各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を与える。同様に、チャネル推定器２２８は、アップリンクチャネル応答を推定し、アップリンクチャネル推定値を与える。各ユーザ端末用のコントローラ２８０は通常、ユーザ端末についての空間フィルタ行列を、そのユーザ端末についてのダウンリンクチャネル応答行列Ｈdn,mに基づいて導出する。コントローラ２３０は、アクセスポイントについての空間フィルタ行列を、実効アップリンクチャネル応答行列Ｈup,effに基づいて導出する。各ユーザ端末用のコントローラ２８０は、フィードバック情報（たとえば、ダウンリンクおよび／またはアップリンク固有ベクトル、固有値、ＳＮＲ推定値、など）をアクセスポイントに送ることができる。コントローラ２３０および２８０は、それぞれ、アクセスポイント１１０およびユーザ端末１２０における様々な処理ユニットの動作も制御する。
【００３８】
本開示のいくつかの態様は、アクセスポイント１１０からのマルチユーザ多入力多出力（ＭＵ−ＭＩＭＯ）送信に応答して複数のユーザ端末１２０から送信される確認応答メッセージの管理をサポートする。いくつかの態様によると、ポーリング型ブロック確認応答（ＢＡ;immediate Block Acknowledgement）機構は、確認応答（ＡＣＫ）プロトコルにとって必須と見なされる場合があり、逐次（または他のタイプのスケジュール型／決定性）機構は、任意選択と見なされる場合がある。
【００３９】
図３に、ワイヤレス通信システム１００内で採用できるワイヤレスデバイス３０２において利用できる様々な構成要素を示す。ワイヤレスデバイス３０２は、本明細書で説明する様々な方法を実装するように構成できるデバイスの一例である。ワイヤレスデバイス３０２はアクセスポイント１１０またはユーザ端末１２０であり得る。
【００４０】
ワイヤレスデバイス３０２は、ワイヤレスデバイス３０２の動作を制御するプロセッサ３０４を含むことができる。プロセッサ３０４は中央処理装置（ＣＰＵ）と呼ばれることもある。読取り専用メモリ（ＲＯＭ）とランダムアクセスメモリ（ＲＡＭ）の両方を含むことができるメモリ３０６は、命令とデータとをプロセッサ３０４に与える。メモリ３０６の一部は不揮発性ランダムアクセスメモリ（ＮＶＲＡＭ）をも含むことができる。プロセッサ３０４は一般に、メモリ３０６内に記憶されたプログラム命令に基づいて、論理および演算動作を実行する。メモリ３０６中の命令は、本明細書で説明する方法を実装するために実行可能である。
【００４１】
ワイヤレスデバイス３０２は、ワイヤレスデバイス３０２と遠隔地との間のデータの送信および受信を可能にするために送信機３１０と受信機３１２とを含むことができるハウジング３０８を含むこともできる。送信機３１０と受信機３１２とを組み合わせてトランシーバ３１４を形成することができる。単一または複数の送信アンテナ３１６は、ハウジング３０８に取り付けられ、トランシーバ３１４に電気的に結合され得る。ワイヤレスデバイス３０２は、複数の送信機、複数の受信機、複数のトランシーバをも含むことができる（図示せず）。
【００４２】
ワイヤレスデバイス３０２は、トランシーバ３１４によって受信された信号のレベルを検出および定量化するために使用できる信号検出器３１８をも含むことができる。信号検出器３１８は、総エネルギー、シンボルごとのサブキャリア当たりのエネルギー、電力スペクトル密度および他の信号などの信号を検出し得る。ワイヤレスデバイス３０２は、信号を処理する際に使用するためのデジタル信号プロセッサ（ＤＳＰ）３２０を含むこともできる。
【００４３】
本開示は、ワイヤレスデバイス３０２にサービスするアクセスポイント（図３には示さず）からのＭＵ−ＭＩＭＯ送信に応答してワイヤレスデバイス３０２から送信されるＡＣＫメッセージの管理をサポートする。ワイヤレスデバイス３０２は、ＭＵ−ＭＩＭＯ送信を受信するユーザ端末の１つに対応し得る。いくつかの態様によると、ポーリング型ＢＡ機構は、ＡＣＫプロトコルにとって必須と見なされる場合があり、逐次（または他のタイプのスケジュール型／決定性）機構は、任意選択と見なされる場合がある。
【００４４】
ワイヤレスデバイス３０２の様々な構成要素は、データバスに加えて、パワーバス、制御信号バス、およびステータス信号バスを含むことができるバスシステム３２２によって一緒に結合できる。
【００４５】
図１〜図２のＷＬＡＮ１００などの次世代ワイヤレスローカルエリアネットワーク（ＷＬＡＮ）では、ダウンリンク（ＤＬ）ＭＵ−ＭＩＭＯ送信は、全体的ネットワークスループットを増大するための有望な技法を表し得る。ＤＬ  ＭＵ−ＭＩＭＯ送信のほとんどの態様において、アクセスポイント（たとえば、図１〜図２のアクセスポイント１１０または図３のワイヤレスデバイス３０２）から複数のユーザ局（たとえば、図１〜図２のユーザ端末１２０）に送信されるプリアンブルの非ビームフォーミング部分は、局（ＳＴＡ）への空間ストリームの割振りを示す空間ストリーム割振りフィールドを搬送し得る。
【００４６】
この割振り情報を局（ＳＴＡ）側で解析するために、各ＳＴＡは、ＭＵ−ＭＩＭＯ送信を受信するようにスケジュールされた複数のＳＴＡのうち１組のＳＴＡにおける自ＳＴＡの順序付けまたはＳＴＡ番号を知る必要があり得る。こうするには、グループの形成を伴う場合があり、プリアンブル中のグループ識別（ｇｒｏｕｐＩＤ）フィールドは、ＳＴＡに、所与のＭＵ−ＭＩＭＯ送信において送信を受ける１組のＳＴＡ（およびその順番）を伝えることができる。送信オーバーヘッドにプリアンブルビットが加わるので、所与の瞬間に、ＭＵ−ＭＩＭＯ送信においてＳＴＡを一緒にスケジュールするための柔軟性を犠牲にすることなく、できるだけｇｒｏｕｐＩＤにはビットを費やさないようにすることが望ましい場合がある。
【００４７】
［ＭＵ−ＭＩＭＯ送信についての、複数の宛先からの確認応答メッセージの管理］
本開示は、ＭＵ−ＭＩＭＯデータ送信に確認応答するためのプロトコルを提供する。本明細書に提示する様々なプロトコルは、ポーリング型、逐次およびスケジュール型確認応答、ならびにそれらの様々な組合せを含み得る。
【００４８】
本開示のいくつかの態様によると、ポーリング型ブロック確認応答（ＢＡ）機構は、確認応答（ＡＣＫ）プロトコルにとって必須と見なされ得る。いくつかの態様によると、逐次（または他のタイプのスケジュール型／決定性）機構は、ＡＣＫプロトコルにとって任意選択と見なされ得る。
【００４９】
ポーリング型ＢＡプロトコルは、いくつかの点で、既存の確認応答機構および「複数フレーム」伝送規則と同様に動作し得るが、本明細書に提示するいくつかの追加制約を伴う。一例として、マルチユーザ物理レイヤコンバージェンス手順プロトコルデータユニット（ＭＵ−ＰＰＤＵ）は、以下のデータの組合せの１つを備え得る。
【００５０】
本開示の一態様において、ＳＴＡの１つについてのアグリゲート媒体アクセス制御プロトコルデータユニット（Ａ−ＭＰＤＵ）のサービス品質（ＱｏＳ）制御フィールド確認応答ポリシービット(acknowledgement policy bit)５〜６は、「暗黙ブロック確認応答要求（ＢＡＲ;Block Acknowledgement Request）」ポリシーを指す「００」にセットすることができ、これらのビットは、「ＢＡＲ待機」ポリシーを有する宛先ＳＴＡについては「１１」に、または「Ｎｏ−ＡＣＫ」ポリシーについては「１０」にセットすることができる。別の態様では、非ＱｏＳデータをもつＡ−ＭＰＤＵのＱｏＳ制御フィールド確認応答ポリシービット５〜６は、正常Ａ−ＭＰＤＵを求めるＳＴＡの１つについては「００」にセットすることができ、これらのビットは、「ＢＡＲ待機」ポリシーを有する宛先ＳＴＡについては「１１」に、または「Ｎｏ−ＡＣＫ」ポリシーについては「１０」にセットすることができる。さらに別の態様では、すべてのＡ−ＭＰＤＵが、「Ｎｏ−ＡＣＫ」ポリシーについて「１０」にセットされたＱｏＳ制御フィールド確認応答ポリシービット５〜６を備え得る。
【００５１】
すべてのデータについてのＡＣＫポリシーが、Ｎｏ−ＡＣＫを示す値にセットされない（たとえば、ＡＣＫが送られることはない）限り、少なくとも１つのＳＴＡが即時ＡＣＫまたはＢＡを確実に求めるようにするために、いくつかの規則が適用され得る。本明細書に提示するいくつかの態様によると、ＭＵ−ＰＰＤＵ自体における衝突(collision)を検出させることができないので、結果としてすべてのＳＴＡが遅延ブロックＡＣＫをもつことになる、（ＭＵ−ＭＩＭＯ送信におけるすべてのＭＡＣプロトコルデータユニット（ＭＰＤＵ）について）ＡＣＫポリシーの設定を避けることが望ましい場合がある。
【００５２】
いくつかの態様によると、ＳＴＡから送信されたＡＣＫ（またはブロック確認応答「ＢＡ」）の正しい受信まで、同じＳＴＡについて即時ＢＡ(immediate BA)が設定され得る。ＢＡの受信後は、異なるＳＴＡについて即時ＢＡメッセージが設定されるべきである。
【００５３】
いくつかの態様によると、ＡＰは、ＢＡＲメッセージを送信することによって、すべてのＳＴＡ（「暗黙ブロック(implicit Block)ＡＣＫ要求」または「正常ＡＣＫ(Normal ACK)」が設定されているもの以外）をポーリングすることができる。そのような場合、ＡＰは、直前ＡＣＫまたはＢＡの正しい受信の後で、ＢＡＲフレームショートフレーム間空間（ＳＩＦＳ）の送信を開始することができる。これを図４に示す。図に示すように、ＡＰは、ＭＵ−ＭＩＭＯ送信４１０により複数のＭＰＤＵを送信することができる。ＳＴＡ１が即時確認応答メッセージ４１２（ＡＣＫ）を送信し、ＳＴＡ２およびＳＴＡ３がそのＡＣＫメッセージ４１２を、ＢＡＲメッセージ４１４を受信した後でのみ送信するように、ＡＣＫポリシーが設定され得る。
【００５４】
いくつかの態様によると、拡張分散協調アクセス（ＥＤＣＡ）規則は、送信機会（ＴｘＯＰ）中に複数のフレームを相次いで送信する様々なやり方を定義し得る。一例として、第１のフレーム交換が成功した場合（Ｎｏ−ＡＣＫフレームまたは成功ＡＣＫを有するフレームのいずれか）、ＡＰは、各成功交換の後ではＳＩＦＳ分離を用いて、または各失敗交換の後では、ポイント調整機能（Point coordination function）フレーム間空間（ＰＩＦＳ）分離を用いて、フレームを送信し続けることを許可され得る。第１のフレーム交換が失敗した場合、ＡＰは、フレームを送信し続けることを許可され得ない（すなわち、ＡＰは、ＴｘＯＰを得なかった）。
【００５５】
そのような規則は、ＥＤＣＡ規則への準拠を確実にするのを助けることができ、第１のフレーム交換が成功だった（すなわち、即時ＢＡが正しく受信され、またはＭＵ−ＭＩＭＯ  ＰＰＤＵ前の送信要求送信可（ＲＴＳ−ＣＴＳ）交換が正しい）場合、第１のＡＣＫまたはＢＡの後のＳＩＦＳ期間にＢＡＲメッセージが送信され得ることを含意し得る。そうではなく、第１のフレーム交換が失敗した（すなわち、即時ＢＡが受信され得ない）場合、ＢＡＲメッセージは送信され得ない。
【００５６】
いくつかの態様によると、一次ＳＴＡから受信されることが予想される欠落確認応答メッセージ（たとえば、ＢＡ）は、失敗イベント（衝突検出を示す）をトリガし得る。いくつかの態様によると、ポーリング型方式では、一次ＳＴＡは、即時ＢＡメッセージまたは正常ＡＣＫメッセージが要求されるものでよい。この場合、一次ＳＴＡからの欠落即時ＢＡまたはＡＣＫは、ＭＵ送信の一次アクセスカテゴリ（ＡＣ;access category）について失敗イベントをトリガし得る。第１のフレーム交換が失敗した（すなわち、ＢＡが欠落している）場合、コンテンションウィンドウ（ＣＷ）が増大され得ることを、様々な規則が定義し得る。
【００５７】
ＢＡＲは通常、その応答としてのＢＡに関連付けることができ、したがって、ＢＡＲは、ＭＵ−ＰＰＤＵ自体における衝突検出には使用できない（ＢＡＲ自体における衝突は検出することができる）ことに留意されたい。したがって、即時ＢＡをもたないポーリング型方式は、ＭＵ−ＰＰＤＵにおける衝突を検出することができない。
【００５８】
即時ＢＡは、各ＭＰＤＵが、そのＱｏＳフィールド中で指示を搬送することを求め得る。いくつかの態様によると、宛先向けのデータがＱｏＳポリシーに関連付けられると、再送信は同じポリシーを使用し得る。２つの後続送信において、異なる「部分的重複」ユーザＳＴＡグループに送信するとき、複数の宛先向けの（再送信）データが、即時ＢＡポリシーに関連付けられるということが起こる可能性があるが、これは許されることではない。いくつかの態様によると、各送信ごとに独立してＢＡポリシーを設定できることが望ましい場合があるが、このことは、最後の瞬間におけるパケットおよび巡回冗長検査（ＣＲＣ）の変更を含意し得る。
【００５９】
いくつかの態様によると、即時ＢＡは、ＭＵグループにおける「第１の」位置に結び付けられ（関連付けられ）得る。これにより、ＡＣＫを戻すことになるＳＴＡを効果的に制限することができる。一例として、４つのＳＴＡを有するただ１つのグループがある場合、ただ１つのグループを作成すればよく、すなわち、衝突検出は常に、同じＳＴＡについて行われることになる。
【００６０】
いくつかの態様によると、グループ中での位置１にあるＳＴＡは、暗黙ＢＡ機構に従い、ＤＬ送信の後にＢＡ  ＳＩＦＳを送信することができる。この場合、位置ｎにあるＳＴＡは、ＭＵ−ＰＰＤＵ送信の終結後、有効なレガシー信号（Ｌ−ＳＩＧ）フィールドをもつ、受信したＰＰＤＵの数をカウントし、そのＢＡフレームＳＩＦＳ時間を、第（ｎ−１）のフレームの送信の終結後に送信することができる。これを図５に示す。図に示すように、ＡＰは、ＭＵ−ＭＩＭＯ送信５１０により複数のＭＰＤＵを送信することができる。この場合、各ＳＴＡは、その確認応答メッセージ５１２（ＡＣＫ）を、その位置に基づいて逐次送信することができる。
【００６１】
いくつかの態様によると、前のフレームの終結に続くＳＩＦＳ＋ａＰＨＹ−ＲＸ−ＳＴＡＲＴ−Ｄｅｌａｙ時間の期間中に、ＰＨＹ−ＲＸＳＴＡＲＴ．ｉｎｄｉｃａｔｉｏｎが起こらない場合、ＳＴＡは、逐次ＢＡ方式が失敗したと結論付けてよく、ＢＡを送信しなくてよい。
【００６２】
いくつかの態様によると、ＰＰＤＵは検出されたが、Ｌ−ＳＩＧフィールドが有効でない場合、ＳＴＡは、逐次ＢＡ方式が失敗したと結論付けてよく、ＢＡを送信しなくてよい。ある態様では、タイプＢＡのフレームを受信したＳＴＡは、逐次手順を中止してよい。
【００６３】
ＡＰにおいて、ＭＵ−ＭＰＵ送信に関係したＰＨＹ−ＴＸＥＮＤ．ｃｏｎｆｉｒｍに続く、または有効ＢＡに関係したＰＨＹ−ＲＸＥＮＤ．ｉｎｄｉｃａｔｉｏｎに続くＳＩＦＳ＋ａＰＨＹ−ＲＸ−ＳＴＡＲＴ−Ｄｅｌａｙ時間の期間中に、ＰＨＹ−ＲＸＳＴＡＲＴ．ｉｎｄｉｃａｔｉｏｎが起こらない場合、ＡＰは、逐次ＢＡ方式が失敗したと結論付けてよく、ポーリング型方式の規則に従うことによって継続して、ＢＡを取り出すことができる。いくつかの規則は、第１のＡＣＫが欠落している場合、ＡＰが第２のＳＴＡについてポーリングすることを許可し得ないことに留意されたい。
【００６４】
ＳＴＡが、ＡＣＫまたはＢＡを戻すと思われない場合、ＡＰは、ＳＩＦＳ時間の後、フィラーフレームを送信すればよい。この場合、ＡＰは、ＳＴＡがＡＣＫを戻すと思われないことを知ることができる。ある態様では、フィラーフレームはＡＣＫであってもよく、ＳＴＡにおけるフレームカウントは、修正しなくてよい。
【００６５】
いくつかの態様によると、一連の逐次ＡＣＫ中に中断がある場合、ＡＰは、後で正常ＡＣＫについてポーリングすることができなくなり得る。可能な解決策は、逐次ＡＣＫを有する正常ＡＣＫを許可しないこと、位置１にあるＳＴＡについての正常ＡＣＫのみを許可すること、および／または正常ＡＣＫ向けの新たなポーリング機構を定義することを含み得る。
【００６６】
いくつかの態様によると、位置１にあるＳＴＡは、暗黙ＢＡ機構に従い、ＤＬ送信の後にＢＡ  ＳＩＦＳを送信することができる。位置ｎにあるＳＴＡは、ＭＵ−ＰＰＤＵ送信の終結後に、タイプＡＣＫまたはＢＡの、正しく受信されたフレームの数をカウントすることができ、そのＡＣＫまたはＢＡフレームＳＩＦＳ時間を、第（ｎ−１）のフレームの送信の終結後に送信することができる。
【００６７】
前のフレームの終結に続くＳＩＦＳ＋ａＰＨＹ−ＲＸ−ＳＴＡＲＴ−Ｄｅｌａｙ時間の期間中に、ＰＨＹ−ＲＸＳＴＡＲＴ．ｉｎｄｉｃａｔｉｏｎが起こらない場合、ＳＴＡは、逐次ＢＡ方式が失敗したと結論付けてよく、ＢＡを送信しなくてよい。フレームは検出されたがＦＣＳが失敗するか、またはフレームがＡＣＫもしくはＢＡタイプではない場合、ＳＴＡは、逐次ＢＡ方式が失敗したと結論付けてよく、ＡＣＫまたはＢＡを送信しなくてよい。ある態様では、タイプＢＡのフレームを受信したＳＴＡは、逐次手順を中止してよい。
【００６８】
ＡＰにおいて、いくつかの態様によれば、ＭＵ−ＭＰＵ送信に関係したＰＨＹ−ＴＸＥＮＤ．ｃｏｎｆｉｒｍに続く、または有効ＡＣＫもしくはＢＡに関係したＰＨＹ−ＲＸＥＮＤ．ｉｎｄｉｃａｔｉｏｎに続くＳＩＦＳ＋ａＰＨＹ−ＲＸ−ＳＴＡＲＴ−Ｄｅｌａｙ時間の期間中に、ＰＨＹ−ＲＸＳＴＡＲＴ．ｉｎｄｉｃａｔｉｏｎが起こらない場合、ＡＰは、逐次ＢＡ方式が失敗したと結論付けてよく、ポーリング型方式用に定義された規則に従って継続して、ＢＡを取り出すことができる。
【００６９】
図６は、本開示のいくつかの態様による、アクセスポイント（ＡＰ）において実行され得る例示的な動作６００を示す。動作は始めに、６０２で、複数のデータユニット（ＤＵ）を生成する。動作６００は続いて、６０４で、複数の装置へのＤＵを備えるマルチユーザ多入力多出力（ＭＵ−ＭＩＭＯ）送信を送信し、ＤＵについての確認応答ポリシーは、装置のうち第１の装置だけに、確認応答メッセージで応答させるように設定され得る。ある態様では、複数のＤＵは、複数の媒体アクセス制御プロトコルデータユニット（ＭＰＤＵ）を備え得る。
【００７０】
ある態様では、ＡＰは、装置の少なくとも１つに、グループ中での位置を割り当てることができ、どの装置が第１の装置であるかは、グループ中でのその装置の位置に基づいて判断され得る。ＡＰは、グループ中での別の位置を割り当てられていない少なくとも１つの装置に、ブロック確認応答要求（ＢＡＲ）メッセージを送信することができる。さらに、ＡＰは、一次アクセスカテゴリまたは二次アクセスカテゴリのうち少なくとも１つのカテゴリの複数のＤＵを生成するようにも構成され得る。
【００７１】
ある態様では、ＤＵの送信後の期間中にＡＰにおいてＰＨＹ−ＲＸＳＴＡＲＴ指示が検出されない場合、ＡＰは、装置の１つからの（たとえば、第１の装置からの）確認応答が欠落していることを検出することができる。この期間は、その１つの装置に特有であり得ることに留意されたい。
【００７２】
ある態様では、一次アクセスカテゴリの複数のＤＵのうちあるＤＵについての確認応答ポリシーが、正常ＡＣＫについて設定され得る。この場合、確認応答メッセージは、正常ＡＣＫを備え得る。
【００７３】
図７は、本開示のいくつかの態様による、アクセス端末（ＡＴ）において実行され得る例示的な動作７００を示す。動作７００は始めに、７０２で、装置（ＡＴ）において、１つまたは複数の他のＤＵとともに送信されたデータユニット（ＤＵ）を受信し、ＤＵについての確認応答ポリシーは、ＤＵに関連付けられた複数の装置のうち第１の装置だけに、確認応答で応答させるように設定され得る。７０４で、装置に関連付けられたＤＵについての確認応答ポリシーの１つに基づく、確認応答メッセージを送信するタイミングが判断され得る。ある態様では、ＤＵは媒体アクセス制御プロトコルデータユニット（ＭＰＤＵ）を備えることができ、１つまたは複数の他のＤＵは、１つまたは複数の他のＭＰＤＵを備えることができる。
【００７４】
ある態様では、ＡＴは、グループ中での装置の位置の割当てを受信することができる。確認応答メッセージを送信するタイミングは、グループ中での割当て位置に基づいて判断することができる。ＡＴは、グループ中での他の割当て位置を有する装置によって送信される確認応答メッセージに対して、確認応答メッセージを送信するための順序を判断することができる。
【００７５】
本開示の一態様では、ＤＵのレガシー信号（Ｌ−ＳＩＧ）フィールドが有効でない場合、ＡＴは、確認応答メッセージを送信しないと決定し得る。別の態様では、ＤＵを送信するＡＰからの、特定の数のフレームの送信の終結に続く期間中に、ＡＴにおいてＰＨＹ−ＲＸＳＴＡＲＴ指示が検出されない場合、ＡＴは、確認応答メッセージを送信しないと決定し得る。さらに別の態様では、ＡＴは、装置のうち１つまたは複数に関連付けられた１つまたは複数の他の確認応答メッセージが、１つまたは複数の他のＤＵが送信された際に経由した媒体上で検出されない場合、確認応答メッセージを送信しないと決定し得る。さらに別の態様では、ＡＴは、１つまたは複数の他のＤＵとともに送信されたＤＵが媒体上で検出されていないが、１つまたは複数の他のＤＵに対応する１つまたは複数の確認応答メッセージが媒体上で検出される場合、ＡＰに確認応答メッセージを送信するのを控え得る。さらに別の態様では、ＡＴは、確認応答メッセージを送信する前に、ブロック確認応答要求（ＢＡＲ）を待つと決定し得る。
【００７６】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示す動作がある場合、それらの動作は、同様の番号をもつ対応するカウンターパートのミーンズプラスファンクション構成要素を有し得る。たとえば、図６および図７に示す動作６００および７００は、図６Ａおよび図７Ａに示す構成要素６００Ａおよび７００Ａに対応する。
【００７７】
本明細書で使用する「判断」という用語は、多種多様なアクションを包含する。たとえば、「判断」は、計算、算出、処理、導出、調査、探索（たとえば、テーブル、データベース、または別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００７８】
本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００７９】
上記で説明した方法の様々な動作は、（１つまたは複数の）様々なハードウェアおよび／またはソフトウェア構成要素、回路、および／または（１つもしくは複数の）モジュールなど、それらの動作を実行することが可能な任意の好適な手段によって実行され得る。一般に、図に示すどの動作も、その動作を実行することが可能な対応する機能的手段によって実行され得る。
【００８０】
たとえば、生成するための手段は、特定用途向け集積回路、たとえば、アクセスポイント１１０の図２のプロセッサ２１０、またはワイヤレスデバイス３０２の図３のプロセッサ３０４を備え得る。送信するための手段は、送信機、たとえば、アクセスポイント１１０の図２の送信機２２２、またはワイヤレスデバイス３０２の図３の送信機３１０を備え得る。検出するための手段は、特定用途向け集積回路、たとえば、アクセスポイント１１０の図２のプロセッサ２４２、またはプロセッサ３０４を備え得る。割り当てるための手段は、特定用途向け集積回路、たとえば、プロセッサ２１０またはプロセッサ３０４を備え得る。受信するための手段は、受信機、たとえば、ユーザ端末１２０の図２の受信機２５４、またはワイヤレスデバイス３０２の図３の受信機３１２を備え得る。判断するための手段は、特定用途向け集積回路、たとえば、ユーザ端末１２０の図２のプロセッサ２８８、またはプロセッサ３０４を備え得る。決定するための手段は、特定用途向け集積回路、たとえば、プロセッサ２８８またはプロセッサ３０４を備え得る。控えるための手段は、特定用途向け集積回路、たとえば、プロセッサ２８８またはプロセッサ３０４を備え得る。
【００８１】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは、任意の市販のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００８２】
本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【００８３】
本明細書で開示する方法は、説明した方法を達成するための１つまたは複数のステップまたはアクションを備える。方法のステップおよび／またはアクションは、特許請求の範囲から逸脱せずに互いに交換される可能性がある。言い換えれば、ステップまたはアクションの特定の順序が指定されない限り、特定のステップおよび／またはアクションの順序および／または使用は特許請求の範囲から逸脱することなく変更できる。
【００８４】
説明した機能は、ハードウェア、ソフトウェア、ファームウェア、またはそれらの組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。さらに、いかなる接続もコンピュータ可読媒体と適切に呼ばれる。たとえば、ソフトウェアが同軸ケーブル、光ファイバーケーブル、より対線、デジタル加入者回線（ＤＳＬ）、または赤外線（ＩＲ）、無線、およびマイクロ波といったワイヤレス技術を使用してウェブサイト、サーバ、または他のリモートソースから送信される場合、その同軸ケーブル、光ファイバーケーブル、より対線、ＤＳＬ、または赤外線、無線、およびマイクロ波といったワイヤレス技術は、媒体の定義に含まれる。本明細書で使用されるとき、ディスク（ｄｉｓｋ）とディスク（ｄｉｓｃ）とは、コンパクトディスク（ｃｏｍｐａｃｔ  ｄｉｓｃ）（ＣＤ）と、レーザーディスク（登録商標）（ｌａｓｅｒ  ｄｉｓｃ）と、光ディスク（ｏｐｔｉｃａｌ  ｄｉｓｃ）と、デジタルバーサタイルディスク（ｄｉｇｉｔａｌ  ｖｅｒｓａｔｉｌｅ  ｄｉｓｃ）（ＤＶＤ）と、フロッピー（登録商標）ディスク（ｆｌｏｐｐｙ（登録商標）  ｄｉｓｋ）と、ブルーレイ（登録商標）ディスク（Ｂｌｕ−ｒａｙ（登録商標）  ｄｉｓｃ）とを含み、ディスク（ｄｉｓｋ）が、通常、磁気的にデータを再生する一方、ディスク（ｄｉｓｃ）は、レーザを用いて光学的にデータを再生する。したがって、いくつかの態様では、コンピュータ可読媒体は一時的でないコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含めるべきである。
【００８５】
したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００８６】
ソフトウェアまたは命令はまた、送信媒体を介して送信できる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、送信媒体の定義に含まれる。
【００８７】
さらに、本明細書に記載の方法および技法を実行するためのモジュールおよび／または他の適切な手段は、適用可能な場合にユーザ端末および／または基地局によってダウンロードおよび／またはそうでなければ取得できることを諒解されたい。たとえば、本明細書で説明した方法を実行するための手段の転送を容易にするために、そのようなデバイスをサーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【００８８】
特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
【００８９】
上記は本開示の態様を対象とするが、本開示の他の態様およびさらなる態様は、その基本的範囲から逸脱することなく考案され得、その範囲は以下の特許請求の範囲によって判断される。
【図１】
2019062541.tif 000003
【図２】
2019062541.tif 000004
【図３】
2019062541.tif 000005
【図４】
2019062541.tif 000006
【図５】
2019062541.tif 000007
【図６】
2019062541.tif 000008
【図６Ａ】
2019062541.tif 000009
【図７】
2019062541.tif 000010
【図７Ａ】
2019062541.tif 000011
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のデータユニット（ＤＵ）を生成することと、
複数の装置への前記ＤＵを備えるマルチユーザ多入力多出力（ＭＵ−ＭＩＭＯ）送信を送信装置から送信することと、ここにおいて、前記ＤＵについての確認応答ポリシーは、前記装置のうち第１の装置だけに、即時ブロック確認応答メッセージで応答させるように設定され、前記第１の装置以外の装置に関連付けられたＤＵについての前記確認応答ポリシーは、要求時にＡＣＫに設定される、
を備え、
前記ＭＵ−ＭＩＭＯ送信に応答して、前記第１の装置から前記即時ブロック確認応答メッセージが受信されない場合、前記ＭＵ−ＭＩＭＯ送信に関連付けられた衝突を前記送信装置において検出すること、および
ここにおいて、前記欠落ブロック確認応答メッセージは、前記送信装置に、前記第１の装置以外の前記装置のうちの前記１つまたは複数にブロック確認応答要求（ＢＡＲ）メッセージを送信するのを控えさせる失敗イベントをトリガする、
を備えることを特徴とする、方法。
【請求項２】
一次アクセスカテゴリまたは二次アクセスカテゴリのうち少なくとも１つの、前記複数のＤＵを生成すること
をさらに備える、請求項１に記載の方法。
【請求項３】
前記第１の装置に関連付けられた前記ＤＵの第１のものについての確認応答ポリシービットが、暗黙ブロック確認応答要求（ＢＡＲ）を示す値にセットされる、請求項１に記載の方法。
【請求項４】
前記第１の装置以外の前記装置向けの前記ＤＵについての確認応答ポリシービットが、ブロック確認応答要求（ＢＡＲ）待機ポリシーを示す、またはＮｏ−ＡＣＫポリシーを示す値にセットされる、請求項１に記載の方法。
【請求項５】
前記装置の少なくとも１つに、グループ中での位置を割り当てることをさらに備え、
どの装置が前記第１の装置であるかは、その装置の、前記グループ中での前記位置に基づいて判断される、請求項１に記載の方法。
【請求項６】
前記方法は、
前記グループ中での別の位置を割り当てられていない少なくとも１つの装置に、ブロック確認応答要求（ＢＡＲ）メッセージを送信すること
をさらに備える、請求項５に記載の方法。
【請求項７】
ワイヤレス通信のための装置であって、
複数のデータユニット（ＤＵ）を生成する手段と、
複数の装置への前記ＤＵを備えるマルチユーザ多入力多出力（ＭＵ−ＭＩＭＯ）送信を送信する手段と、ここにおいて、前記ＤＵについての確認応答ポリシーは、前記装置のうち第１の装置だけに、即時ブロック確認応答メッセージで応答させるように設定され、前記第１の装置以外の装置に関連付けられたＤＵについての前記確認応答ポリシーは、要求時にＡＣＫに設定される、
を備え、
前記ＭＵ−ＭＩＭＯ送信に応答して、前記第１の装置から前記即時ブロック確認応答メッセージが受信されない場合、前記ＭＵ−ＭＩＭＯ送信に関連付けられた衝突を検出する手段、
ここにおいて、前記欠落ブロック確認応答メッセージは、前記送信装置に、前記第１の装置以外の前記装置のうちの前記１つまたは複数にブロック確認応答要求（ＢＡＲ）メッセージを送信するのを控えさせる失敗イベントをトリガする、
をさらに備えることを特徴とする、装置。
【請求項８】
一次アクセスカテゴリまたは二次アクセスカテゴリのうち少なくとも１つの、前記複数のＤＵを生成する手段
をさらに備える、請求項７に記載の装置。
【請求項９】
前記第１の装置に関連付けられた前記ＤＵの第１のものについての確認応答ポリシービットが、暗黙ブロック確認応答要求（ＢＡＲ）を示す値にセットされる、請求項７に記載の装置。
【請求項１０】
前記第１の装置以外の前記装置向けの前記ＤＵについての確認応答ポリシービットが、ブロック確認応答要求（ＢＡＲ）待機ポリシーを示す、またはＮｏ−ＡＣＫポリシーを示す値にセットされる、請求項７に記載の装置。
【請求項１１】
前記装置の少なくとも１つに、グループ中での位置を割り当てる手段をさらに備え、
どの装置が前記第１の装置であるかは、その装置の、前記グループ中での前記位置に基づいて判断される、請求項７に記載の装置。
【請求項１２】
送信する前記手段は、
前記グループ中での別の位置を割り当てられていない少なくとも１つの装置に、ブロック確認応答要求（ＢＡＲ）メッセージを送信する
ようにさらに構成される、請求項１１に記載の装置。
【請求項１３】
請求項１ないし６のいずれか一項に記載のステップを行うように実行可能な命令を備えるコンピュータ可読媒体を備える、ワイヤレス通信のためのコンピュータプログラム製品。
【手続補正２】
【補正対象書類名】明細書
【補正対象項目名】００８９
【補正方法】変更
【補正の内容】
【００８９】
上記は本開示の態様を対象とするが、本開示の他の態様およびさらなる態様は、その基本的範囲から逸脱することなく考案され得、その範囲は以下の特許請求の範囲によって判断される。
以下に本願の出願当初の特許請求の範囲に記載された発明を付記する。
［Ｃ１］  ワイヤレス通信のための装置であって、
複数のデータユニット（ＤＵ）を生成するように構成された第１の回路と、
複数の装置への前記ＤＵを備えるマルチユーザ多入力多出力（ＭＵ−ＭＩＭＯ）送信を送信するように構成された送信機とを備え、なお、前記ＤＵについての確認応答ポリシーは、前記装置のうち第１の装置だけに、確認応答メッセージで応答させるように設定される装置。
［Ｃ２］  前記確認応答メッセージが、即時ブロック確認応答（ＢＡ）メッセージまたは正常ＡＣＫメッセージの少なくとも１つを備える、Ｃ１に記載の装置。
［Ｃ３］  前記第１の装置以外の前記装置に関連付けられたＤＵについての前記確認応答ポリシーが、要求時にＡＣＫなしまたはＡＣＫに設定される、Ｃ１に記載の装置。
［Ｃ４］  前記第１の回路が、一次アクセスカテゴリまたは二次アクセスカテゴリのうち少なくとも１つのカテゴリの前記複数のＤＵを生成するようにも構成される、Ｃ１に記載の装置。
［Ｃ５］  前記一次アクセスカテゴリの前記複数のＤＵのうちあるＤＵについての確認応答ポリシーが、正常ＡＣＫについて設定され、
前記確認応答メッセージが前記正常ＡＣＫを備える、Ｃ４に記載の装置。
［Ｃ６］  前記第１の装置に関連付けられた前記ＤＵの第１のものについての確認応答ポリシービットが、暗黙ブロック確認応答要求（ＢＡＲ）を示す値にセットされる、Ｃ１に記載の装置。
［Ｃ７］  前記第１の装置以外の前記装置向けの前記ＤＵについての確認応答ポリシービットが、ブロック確認応答要求（ＢＡＲ）待機ポリシーを示す値にセットされる、Ｃ１に記載の装置。
［Ｃ８］  前記第１の装置以外の前記装置向けの前記ＤＵについての確認応答ポリシービットが、Ｎｏ−ＡＣＫポリシーを示す値にセットされる、Ｃ１に記載の装置。
［Ｃ９］  前記ＭＵ−ＭＩＭＯ送信に応答して、前記第１の装置から確認応答が受信されない場合、衝突を検出するように構成された第２の回路をさらに備える、Ｃ１に記載の装置。
［Ｃ１０］  前記装置の少なくとも１つに、グループ中での位置を割り当てるように構成された第２の回路をさらに備え、
どの装置が前記第１の装置であるかが、その装置の、前記グループ中での前記位置に基づいて判断される、Ｃ１に記載の装置。
［Ｃ１１］  前記送信機が、
前記グループ中での別の位置を割り当てられていない少なくとも１つの装置に、ブロック確認応答要求（ＢＡＲ）メッセージを送信するようにも構成される、Ｃ１０に記載の装置。
［Ｃ１２］  前記送信機が、
前記ＭＵ−ＭＩＭＯ送信に続いて、前記第１の装置以外の前記装置の１つまたは複数にブロック確認応答要求（ＢＡＲ）メッセージを送信するようにも構成される、Ｃ１に記載の装置。
［Ｃ１３］  前記ＢＡＲメッセージが、ＩＥＥＥ８０２．１１規格ファミリーの１つまたは複数に従って送信される、Ｃ１２に記載の装置。
［Ｃ１４］  前記ＤＵの送信後の期間中に前記装置においてＰＨＹ−ＲＸＳＴＡＲＴ指示が検出されない場合、前記装置の１つからの確認応答が欠落していることを検出するように構成された第２の回路をさらに備える、Ｃ１に記載の装置。
［Ｃ１５］  前記複数のＤＵが、複数の媒体アクセス制御プロトコルデータユニット（ＭＰＤＵ）を備える、Ｃ１に記載の装置。
［Ｃ１６］  ワイヤレス通信のための方法であって、
複数のデータユニット（ＤＵ）を生成すること、および
複数の装置への前記ＤＵを備えるマルチユーザ多入力多出力（ＭＵ−ＭＩＭＯ）送信を送信することを含み、なお、前記ＤＵについての確認応答ポリシーは、前記装置のうち第１の装置だけに、確認応答メッセージで応答させるように設定される方法。
［Ｃ１７］  前記確認応答メッセージが、即時ブロック確認応答（ＢＡ）メッセージまたは正常ＡＣＫメッセージの少なくとも１つを備える、Ｃ１６に記載の方法。
［Ｃ１８］  前記第１の装置以外の前記装置に関連付けられたＤＵについての前記確認応答ポリシーが、要求時にＡＣＫなしまたはＡＣＫに設定される、Ｃ１６に記載の方法。
［Ｃ１９］  一次アクセスカテゴリまたは二次アクセスカテゴリのうち少なくとも１つのカテゴリの前記複数のＤＵを生成することをさらに備える、Ｃ１６に記載の方法。
［Ｃ２０］  前記一次アクセスカテゴリの前記複数のＤＵのうちあるＤＵについての確認応答ポリシーが、正常ＡＣＫについて設定され、
前記確認応答メッセージが前記正常ＡＣＫを備える、Ｃ１９に記載の方法。
［Ｃ２１］  前記第１の装置に関連付けられた前記ＤＵの第１のものについての確認応答ポリシービットが、暗黙ブロック確認応答要求（ＢＡＲ）を示す値にセットされる、Ｃ１６に記載の方法。
［Ｃ２２］  前記第１の装置以外の前記装置向けの前記ＤＵについての確認応答ポリシービットが、ブロック確認応答要求（ＢＡＲ）待機ポリシーを示す値にセットされる、Ｃ１６に記載の方法。
［Ｃ２３］  前記第１の装置以外の前記装置向けの前記ＤＵについての確認応答ポリシービットが、Ｎｏ−ＡＣＫポリシーを示す値にセットされる、Ｃ１６に記載の方法。
［Ｃ２４］  前記ＭＵ−ＭＩＭＯ送信に応答して、前記第１の装置から確認応答が受信されない場合、衝突を検出することをさらに備える、Ｃ１６に記載の方法。
［Ｃ２５］  前記装置の少なくとも１つに、グループ中での位置を割り当てることをさらに備え、  どの装置が前記第１の装置であるかが、その装置の、前記グループ中での前記位置に基づいて判断される、Ｃ１６に記載の方法。
［Ｃ２６］  前記グループ中での別の位置を割り当てられていない少なくとも１つの装置に、ブロック確認応答要求（ＢＡＲ）メッセージを送信することをさらに備える、Ｃ２５に記載の方法。
［Ｃ２７］  前記ＭＵ−ＭＩＭＯ送信に続いて、前記第１の装置以外の前記装置の１つまたは複数にブロック確認応答要求（ＢＡＲ）メッセージを送信することをさらに備える、Ｃ１６に記載の方法。
［Ｃ２８］  前記ＢＡＲメッセージが、ＩＥＥＥ８０２．１１規格ファミリーの１つまたは複数に従って送信される、Ｃ２７に記載の方法。
［Ｃ２９］  前記ＤＵの送信後の期間中に前記装置においてＰＨＹ−ＲＸＳＴＡＲＴ指示が検出されない場合、前記装置の１つからの確認応答が欠落していることを検出することをさらに備える、Ｃ１６に記載の方法。
［Ｃ３０］  前記複数のＤＵが、複数の媒体アクセス制御プロトコルデータユニット（ＭＰＤＵ）を備える、Ｃ１６に記載の方法。
［Ｃ３１］  ワイヤレス通信のための装置であって、
複数のデータユニット（ＤＵ）を生成する手段と、
複数の装置への前記ＤＵを備えるマルチユーザ多入力多出力（ＭＵ−ＭＩＭＯ）送信を送信する手段とを備え、なお、前記ＤＵについての確認応答ポリシーは、前記装置のうち第１の装置だけに、確認応答メッセージで応答させるように設定される装置。
［Ｃ３２］  前記確認応答メッセージが、即時ブロック確認応答（ＢＡ）メッセージまたは正常ＡＣＫメッセージの少なくとも１つを備える、Ｃ３１に記載の装置。
［Ｃ３３］  前記第１の装置以外の前記装置に関連付けられたＤＵについての前記確認応答ポリシーが、要求時にＡＣＫなしまたはＡＣＫに設定される、Ｃ３１に記載の装置。
［Ｃ３４］  一次アクセスカテゴリまたは二次アクセスカテゴリのうち少なくとも１つのカテゴリの前記複数のＤＵを生成する手段をさらに備える、Ｃ３１に記載の装置。
［Ｃ３５］  前記一次アクセスカテゴリの前記複数のＤＵのうちあるＤＵについての確認応答ポリシーが、正常ＡＣＫについて設定され、
前記確認応答メッセージが前記正常ＡＣＫを備える、Ｃ３４に記載の装置。
［Ｃ３６］  前記第１の装置に関連付けられた前記ＤＵの第１のものについての確認応答ポリシービットが、暗黙ブロック確認応答要求（ＢＡＲ）を示す値にセットされる、Ｃ３１に記載の装置。
［Ｃ３７］  前記第１の装置以外の前記装置向けの前記ＤＵについての確認応答ポリシービットが、ブロック確認応答要求（ＢＡＲ）待機ポリシーを示す値にセットされる、Ｃ３１に記載の装置。
［Ｃ３８］  前記第１の装置以外の前記装置向けの前記ＤＵについての確認応答ポリシービットが、Ｎｏ−ＡＣＫポリシーを示す値にセットされる、Ｃ３１に記載の装置。
［Ｃ３９］  前記ＭＵ−ＭＩＭＯ送信に応答して、前記第１の装置から確認応答が受信されない場合、衝突を検出する手段をさらに備える、Ｃ３１に記載の装置。
［Ｃ４０］  前記装置の少なくとも１つに、グループ中での位置を割り当てる手段をさらに備え、  どの装置が前記第１の装置であるかが、その装置の、前記グループ中での前記位置に基づいて判断される、Ｃ３１に記載の装置。
［Ｃ４１］  送信する前記手段が、
前記グループ中での別の位置を割り当てられていない少なくとも１つの装置に、ブロック確認応答要求（ＢＡＲ）メッセージを送信するようにさらに構成される、Ｃ４０に記載の装置。
［Ｃ４２］  送信する前記手段が、
前記ＭＵ−ＭＩＭＯ送信に続いて、前記第１の装置以外の前記装置の１つまたは複数にブロック確認応答要求（ＢＡＲ）メッセージを送信するようにさらに構成される、Ｃ３１に記載の装置。
［Ｃ４３］  前記ＢＡＲメッセージが、ＩＥＥＥ８０２．１１規格ファミリーの１つまたは複数に従って送信される、Ｃ４２に記載の装置。
［Ｃ４４］  前記ＤＵの送信後の期間中に前記装置においてＰＨＹ−ＲＸＳＴＡＲＴ指示が検出されない場合、前記装置の１つからの確認応答が欠落していることを検出する手段をさらに備える、Ｃ３１に記載の装置。
［Ｃ４５］  前記複数のＤＵが、複数の媒体アクセス制御プロトコルデータユニット（ＭＰＤＵ）を備える、Ｃ３１に記載の装置。
［Ｃ４６］  命令を備えるコンピュータ可読媒体を備える、ワイヤレス通信のためのコンピュータプログラム製品であって、前記命令が、
複数のデータユニット（ＤＵ）を生成し、
複数の装置への前記ＤＵを備えるマルチユーザ多入力多出力（ＭＵ−ＭＩＭＯ）送信を送信するように実行可能であり、前記ＤＵについての確認応答ポリシーが、前記装置のうち第１の装置だけに、確認応答メッセージで応答させるように設定されるコンピュータプログラム製品。
［Ｃ４７］  少なくとも１つのアンテナと、
複数のデータユニット（ＤＵ）を生成するように構成された第１の回路と、
前記少なくとも１つのアンテナを介して、複数の装置への前記ＤＵを備えるマルチユーザ多入力多出力（ＭＵ−ＭＩＭＯ）送信を送信するように構成された送信機とを備え、前記ＤＵについての確認応答ポリシーは、前記装置のうち第１の装置だけに、確認応答メッセージで応答させるように設定されるアクセスポイント。
［Ｃ４８］  ワイヤレス通信のための装置であって、
１つまたは複数の他のＤＵとともに送信されたデータユニット（ＤＵ）を受信するように構成された受信機と、なお前記ＤＵについての確認応答ポリシーは、前記ＤＵに関連付けられた複数の装置のうち第１の装置だけに、確認応答で応答させるように設定され、  前記装置に関連付けられた前記ＤＵについての前記確認応答ポリシーの１つに基づく、確認応答メッセージを送信するタイミングを判断するように構成された第１の回路とを備える装置。
［Ｃ４９］  前記第１の回路が、
前記装置が前記第１の装置であるという判断に応答して、前記確認応答を送信すると判断するようにも構成される、Ｃ４８に記載の装置。
［Ｃ５０］  前記第１の回路が、
ブロック確認応答要求（ＢＡＲ）メッセージのみに応答して、前記確認応答メッセージを送信すると判断するようにも構成される、Ｃ４８に記載の装置。
［Ｃ５１］  前記受信機が、グループ中での前記装置の位置の割当てを受信するようにも構成され、  前記第１の回路が、前記グループ中での前記割当て位置に基づく、前記確認応答メッセージを送信するタイミングを判断するようにも構成される、Ｃ４８に記載の装置。
［Ｃ５２］  前記第１の回路が、
前記グループ中での他の割当て位置を有する装置によって送信される確認応答メッセージに対して、前記確認応答メッセージを送信する順序を判断するようにも構成される、Ｃ５１に記載の装置。
［Ｃ５３］  前記第１の回路が、
前記ＤＵのレガシー信号（Ｌ−ＳＩＧ）フィールドが有効でない場合、前記確認応答メッセージを送信しないと決定するようにも構成される、Ｃ４８に記載の装置。
［Ｃ５４］  前記第１の回路が、
前記ＤＵを送信する別の装置からの、特定の数のフレームの送信の終結に続く期間中に前記装置においてＰＨＹ−ＲＸＳＴＡＲＴ指示が検出されない場合、前記確認応答メッセージを送信しないと決定するようにも構成される、Ｃ４８に記載の装置。
［Ｃ５５］  前記第１の回路が、
前記装置のうち１つまたは複数に関連付けられた１つまたは複数の他の確認応答メッセージが、前記１つまたは複数の他のＤＵが送信された際に経由した媒体上で検出されない場合、前記確認応答メッセージを送信しないと決定するようにも構成される、Ｃ４８に記載の装置。
［Ｃ５６］  前記第１の回路が、
前記１つまたは複数の他のＤＵとともに送信された前記ＤＵが媒体上で検出されていないが、前記１つまたは複数の他のＤＵに対応する１つまたは複数の確認応答メッセージが前記媒体上で検出される場合、前記確認応答メッセージを送信するのを控えるようにも構成される、Ｃ４８に記載の装置。
［Ｃ５７］  前記第１の回路が、
前記確認応答メッセージを送信する前に、ブロック確認応答要求（ＢＡＲ）を待つと決定するようにも構成される、Ｃ４８に記載の装置。
［Ｃ５８］  前記ＤＵが媒体アクセス制御プロトコルデータユニット（ＭＰＤＵ）を備え、
前記１つまたは複数の他のＤＵが１つまたは複数の他のＭＰＤＵを備える、Ｃ４８に記載の装置。
［Ｃ５９］  ワイヤレス通信の方法であって、
装置において、１つまたは複数の他のＤＵとともに送信されたデータユニット（ＤＵ）を受信することと、なお、前記ＤＵについての確認応答ポリシーは、前記ＤＵに関連付けられた複数の装置のうち第１の装置だけに、確認応答で応答させるように設定され、および
前記装置に関連付けられた前記ＤＵについての前記確認応答ポリシーの１つに基づく、確認応答メッセージを送信するタイミングを判断することを備える方法。
［Ｃ６０］  前記装置が前記第１の装置であるという判断に応答して、前記確認応答を送信すると判断することをさらに備える、Ｃ５９に記載の方法。
［Ｃ６１］  ブロック確認応答要求（ＢＡＲ）メッセージのみに応答して、前記確認応答メッセージを送信すると判断することをさらに備える、Ｃ５９に記載の方法。
［Ｃ６２］  グループ中での前記装置の位置の割当てを受信することをさらに備え、タイミングを判断することが、
前記グループ中での前記割当て位置に基づく、前記確認応答メッセージを送信するタイミングを判断することを備える、Ｃ５９に記載の方法。
［Ｃ６３］  タイミングを判断することが、
前記確認応答メッセージを送信する順序を、前記グループ中での他の割当て位置を有する装置によって送信される確認応答メッセージと比較して判断することを備える、Ｃ６２に記載の方法。
［Ｃ６４］  前記ＤＵのレガシー信号（Ｌ−ＳＩＧ）フィールドが有効でない場合、前記確認応答メッセージを送信しないと決定することをさらに備える、Ｃ５９に記載の方法。
［Ｃ６５］  前記ＤＵを送信する別の装置からの特定の数のフレームの送信の終結に続く期間中に、前記装置においてＰＨＹ−ＲＸＳＴＡＲＴ指示が検出されない場合、前記確認応答メッセージを送信しないと決定することをさらに備える、Ｃ５９に記載の方法。
［Ｃ６６］  前記装置のうち１つまたは複数に関連付けられた１つまたは複数の他の確認応答メッセージが、前記１つまたは複数の他のＤＵが送信された際に経由した媒体上で検出されない場合、前記確認応答メッセージを送信しないと決定することをさらに備える、Ｃ５９に記載の方法。
［Ｃ６７］  前記１つまたは複数の他のＤＵとともに送信された前記ＤＵが媒体上で検出されていないが、前記１つまたは複数の他のＤＵに対応する１つまたは複数の確認応答メッセージが前記媒体上で検出される場合、前記確認応答メッセージを送信するのを控えることをさらに備える、Ｃ５９に記載の方法。
［Ｃ６８］  タイミングを判断することが、
前記確認応答メッセージを送信する前に、ブロック確認応答要求（ＢＡＲ）を待つと決定することを備える、Ｃ５９に記載の方法。
［Ｃ６９］  前記ＤＵが媒体アクセス制御プロトコルデータユニット（ＭＰＤＵ）を備え、
前記１つまたは複数の他のＤＵが１つまたは複数の他のＭＰＤＵを備える、Ｃ５９に記載の方法。
［Ｃ７０］  ワイヤレス通信のための装置であって、
１つまたは複数の他のＤＵとともに送信されたデータユニット（ＤＵ）を受信する手段と、なお前記ＤＵについての確認応答ポリシーは、前記ＤＵに関連付けられた複数の装置のうち第１の装置だけに、確認応答で応答させるように設定され、
前記装置に関連付けられた前記ＤＵについての前記確認応答ポリシーの１つに基づく、確認応答メッセージを送信するタイミングを判断する手段とを備える装置。
［Ｃ７１］  前記装置が前記第１の装置であるという判断に応答して、前記確認応答を送信すると判断する手段をさらに備える、Ｃ７０に記載の装置。
［Ｃ７２］  ブロック確認応答要求（ＢＡＲ）メッセージのみに応答して、前記確認応答メッセージを送信すると判断する手段をさらに備える、Ｃ７０に記載の装置。
［Ｃ７３］  受信する前記手段が、グループ中での前記装置の位置の割当てを受信するようにさらに構成され、前記装置が、
前記グループ中での前記割当て位置に基づく、前記確認応答メッセージを送信するタイミングを判断する手段をさらに備える、Ｃ７０に記載の装置。
［Ｃ７４］  前記確認応答メッセージを送信する順序を、前記グループ中での他の割当て位置を有する装置によって送信される確認応答メッセージと比較して判断する手段をさらに備える、Ｃ７３に記載の装置。
［Ｃ７５］  前記ＤＵのレガシー信号（Ｌ−ＳＩＧ）フィールドが有効でない場合、前記確認応答メッセージを送信しないと決定する手段をさらに備える、Ｃ７０に記載の装置。
［Ｃ７６］  前記ＤＵを送信する別の装置からの特定の数のフレームの送信の終結に続く期間中に、前記装置においてＰＨＹ−ＲＸＳＴＡＲＴ指示が検出されない場合、前記確認応答メッセージを送信しないと決定する手段をさらに備える、Ｃ７０に記載の装置。
［Ｃ７７］  前記装置のうち１つまたは複数に関連付けられた１つまたは複数の他の確認応答メッセージが、前記１つまたは複数の他のＤＵが送信された際に経由した媒体上で検出されない場合、前記確認応答メッセージを送信しないと決定する手段をさらに備える、Ｃ７０に記載の装置。
［Ｃ７８］  前記１つまたは複数の他のＤＵとともに送信された前記ＤＵが媒体上で検出されていないが、前記１つまたは複数の他のＤＵに対応する１つまたは複数の確認応答メッセージが前記媒体上で検出される場合、前記確認応答メッセージを送信するのを控える手段をさらに備える、Ｃ７０に記載の装置。
［Ｃ７９］  前記確認応答メッセージを送信する前に、ブロック確認応答要求（ＢＡＲ）を待つと決定する手段をさらに備える、Ｃ７０に記載の装置。
［Ｃ８０］  前記ＤＵが媒体アクセス制御プロトコルデータユニット（ＭＰＤＵ）を備え、
前記１つまたは複数の他のＤＵが１つまたは複数の他のＭＰＤＵを備える、Ｃ７０に記載の装置。
［Ｃ８１］  命令を備えるコンピュータ可読媒体を備える、ワイヤレス通信のためのコンピュータプログラム製品であって、前記命令が、
装置において、１つまたは複数の他のＤＵとともに送信されたデータユニット（ＤＵ）を受信し、前記ＤＵについての確認応答ポリシーが、前記ＤＵに関連付けられた複数の装置のうち第１の装置だけに、確認応答で応答させるように設定されるように実行可能であり、
前記装置に関連付けられた前記ＤＵについての前記確認応答ポリシーの１つに基づく、確認応答メッセージを送信するタイミングを判断するように実行可能であるコンピュータプログラム製品。
［Ｃ８２］  少なくとも１つのアンテナと、
前記少なくとも１つのアンテナを介して、１つまたは複数の他のＤＵとともに送信されたデータユニット（ＤＵ）を受信するように構成された受信機であって、なお前記ＤＵについての確認応答ポリシーは、前記ＤＵに関連付けられた複数のアクセス端末のうち第１のアクセス端末だけに、確認応答で応答させるように設定され、
前記アクセス端末に関連付けられた前記ＤＵについての前記確認応答ポリシーの１つに基づく、確認応答メッセージを送信するタイミングを判断するように構成された第１の回路とを備えるアクセス端末。
【外国語明細書】
2019062541000001.pdf